(57)【要約】【課題】従来同様、アークガス発生による内圧の上昇を防ぐ機能を維持しつつ、上記の各問題（電源切替開閉器の前面側にスス汚れが付着する問題、および、絶縁板とパネルとの間に十分な絶縁距離が必要となり機器のコンパクト化が図れないという問題）を回避することができる技術を提供すること。【解決手段】可動コンタクト４を備えたクロスバー２を回転させ、可動コンタクトをクロスバーの左右両側に配置された固定コンタクト５，６の一方に接触させる電源切替開閉器において、前記クロスバー２を収容するベース部８と、該ベース部の上方を被覆するカバー部９を有し、該カバー部を、前記ベース部との間に側面方向に開口する隙間１０を持たせて配置し、前記ベース部内には、該ベース部内で発生するアークガスを前記隙間に導く放出路を形成した。【選択図】図２
2016134361.tif 000002
【特許請求の範囲】
【請求項１】
可動コンタクトを備えたクロスバーを回転させ、可動コンタクトをクロスバーの左右両側に配置された固定コンタクトの一方に接触させる電源切替開閉器において、
前記クロスバーを収容するベース部と、該ベース部の上方を被覆するカバー部を有し、
該カバー部を、前記ベース部との間に側面方向に開口する隙間を持たせて配置し、
前記ベース部内には、該ベース部内で発生するアークガスを前記隙間に導く放出路を形成した
ことを特徴とする電源切替開閉器。
【請求項２】
前記放出路をＳ字状に形成した
ことを特徴とする請求項１記載の電源切替開閉器。
【発明の詳細な説明】
【技術分野】
【０００１】
本発明は、負荷につながる商用電源に停電が生じたような場合に、電源を商用電源から非常用電源などのその他の電源に切替え、また商用電源の復電時には商用電源に切替えるために用いられる電源切替開閉器に関するものである。
【背景技術】
【０００２】
電源切替開閉器は複数の電源を切替えて負荷に給電するための装置であり、停電対策のために発電機等の非常用電源（予備電源）を有した施設に広く使用されている。常時はドライブハンドルとこれに連動する可動コンタクトを商用電源側として負荷に給電しているが、商用電源の停電時にはソレノイド等を利用してドライブハンドルをその他の電源側に切替えることにより、負荷への給電を継続できるようになっている（特許文献１）。
【０００３】
この電源の切り替え時にはアークガスが発生するため、従来から、このアークガス発生による内圧の上昇を防ぎ、遮断機能を向上させることを目的として、図４、図５に示すように、機器本体１３を被覆するカバー部１４に開孔部１５を形成して、アークガスの放出を促す構造が広く採用されている。
【０００４】
しかし、上記構造では、開孔部１５から、電源切替開閉器の前面方向に向けて、アークガスが噴き出すだめ、電源切替開閉器の前面側にスス汚れが付着して、外観を損ねるという問題があった。また、上記構造では、地絡を防止するために、前記のカバー部と、電源切替開閉器の前面側に配置されるパネルとの間に十分な距離を確保することが必要となり、筺体のコンパクト化を図れないという問題があった。
【先行技術文献】
【特許文献】
【０００５】
【特許文献１】特開２００３−１２３５９７号公報
【発明の概要】
【発明が解決しようとする課題】
【０００６】
本発明の目的は、電源切替開閉器の内部において、従来同様、アークガス発生による内圧の上昇を防ぐ機能を維持しつつ、上記の各問題（電源切替開閉器の前面側にスス汚れが付着する問題、および、絶縁板とパネルとの間に十分な絶縁距離が必要となり機器のコンパクト化が図れないという問題）を回避することができる技術を提供することである。
【課題を解決するための手段】
【０００７】
本発明は、上記の課題を解決する手段として、可動コンタクトを備えたクロスバーを回転させ、可動コンタクトをクロスバーの左右両側に配置された固定コンタクトの一方に接触させる電源切替開閉器において、前記クロスバーを収容するベース部と、該ベース部の上方を被覆するカバー部を有し、該カバー部を、前記ベース部との間に隙間を持たせて配置し、前記ベース部内には、該ベース部内で発生するアークガスを前記隙間に導く放出路を形成する、という構成を採用したことを特徴とするものである。
【０００８】
請求項２記載の発明は、請求項１記載の電源切替開閉器において、前記放出路をＳ字状に形成したことを特徴とするものである。
【発明の効果】
【０００９】
本発明では、可動コンタクトを備えたクロスバーを回転させ、可動コンタクトをクロスバーの左右両側に配置された固定コンタクトの一方に接触させる電源切替開閉器において、前記クロスバーを収容するベース部と、該ベース部の上方を被覆するカバー部を有し、該カバー部を、前記ベース部との間に隙間を持たせて配置し、前記ベース部内には、該ベース部内で発生するアークガスを前記隙間に導く放出路を形成する、という構成を採用しているため、アークガスは、電源切替開閉器の側面方向に向けて噴き出され、従来のように、電源切替開閉器の前面側にスス汚れが付着して外観を損ねる、という問題を回避することができる。また、当該構造によれば、カバー部自体には、開口孔は形成する必要がないため、カバー部と電源切替開閉器の前面側に配置されるパネルとの間の絶縁距離の確保が不要となり、筺体の前後方向の寸法を小さくすることができる。
【００１０】
請求項２記載の発明のように、前記の放出路をＳ字状に形成することにより、外部からベース部内に、異物が直接侵入することを防止することができる。
【図面の簡単な説明】
【００１１】
【図１】本発明の一実施形態を示す平面図である。
【図２】本発明の一実施形態を示す正面図である。
【図３】図２の要部拡大図である。
【図４】従来技術を示す平面図である。
【図５】従来技術を示す正面図である。
【発明を実施するための形態】
【００１２】
以下に本発明の好ましい実施形態を示す。
【００１３】
図１は本発明の電源切替開閉器の平面図、図２は正面図、図３は要部拡大図である。本明細書においては電源切替開閉器の底面側を下側として説明するが、実際の使用状態においては電源切替開閉器の底面を盤の垂直面に固定するのが普通である。
【００１４】
これらの図において、１は電源切替開閉器の機器本体である。この機器本体１の中央下部には回転可能なクロスバー２が設けられており、このクロスバー２には、接点３を備えた可動コンタクト４が搭載されている。クロスバー２は駆動回転軸２１により時計方向及び反時計方向に回転される。駆動回転軸２１の回転は、図示しないソレノイドとトグル機構によって行われるが、その構造は本発明の要部ではなく、かつ当業者には周知であるため、説明を省略する。
【００１５】
可動コンタクト４はその中央部を回転支持軸２２によりクロスバー２に軸支されており、可動コンタクト４の内部には接圧用スプリング（図示せず）が収納されている。接圧用スプリングは可動コンタクト４の下部を押圧する構造となっている。機器本体１内部の左右位置には固定コンタクト５、６が設けられており、可動コンタクト４を何れかの固定コンタクト５、６と接触させることができる。この接触時に接圧用スプリングが可動コンタクト４の接点３を、固定コンタクト５または６に所定圧で押し付ける。
【００１６】
例えば固定コンタクト５を商用電源、固定コンタクト６を非常用電源に接続しておけば、クロスバー２を回転させて可動コンタクト４を倒す方向を切替えることにより、負荷端子７を非常電源に接続された状態と、商用電源に接続された状態とに切替えることができる。なお機器本体１の左右には、これらの固定コンタクト５、６に対応する電源入力端子５ａ、６ａが設けられている。
【００１７】
機器本体１は、筺体状のベース部８に収容され、ベース部８の上方の開口部は、カバー部９で被覆されている。この開口部にはフランジ状の突起１１が形成されている。
【００１８】
カバー部９は、ベース部８の突起１１との間に隙間１０を持たせて配置され、ベース部８内には、ベース部内で発生するアークガスを、この隙間１０に導く放出路が形成されている。この隙間１０は、図２に矢印で示すように、機器本体１の側面方向にアークガスを噴き出すことができるよう、側面方向に開口している。このような構造とすることにより、可動コンタクト４を動かして接点３を固定コンタクト５、６から離す瞬間に生ずるアークガスは、電源切替開閉器の側面方向に向けて噴き出される。また放出路をS字状に湾曲させることによりススの排出量自体を抑えることができる。このため従来のように、電源切替開閉器の前面側にスス汚れが付着して外観を損ねる、という問題を回避することができる。
【００１９】
なおカバー部９の端部はベース部８の上方の開口部よりもオーバーハングした形状となっており、その先端とベース部８の開口部との間に隙間１０が形成されている。当該構造によれば、カバー部９自体には、従来のように開口孔が形成されないため、アークガスが電源切替開閉器の前面側に直接吹き出すことはない。この結果、カバー部９と電源切替開閉器の前面側に配置されるパネルとの間の絶縁距離の確保が不要となり、本発明の電源切替開閉器を収納する分電盤などの筺体の前後方向の寸法を小さくすることができる。
【００２０】
なお本実施形態では、アークガスを隙間１０に導く放出路をＳ字状に形成している。すなわち図２に示すように、アークガスはベース部８の上面の突起１１とカバー部９の裏面との隙間を通り、カバー部９の端部の折り曲げ部９ａの裏面に沿って図２の下側方向に流れたうえ、隙間１０から放出される。このように放出路をＳ字状にしたことにより、異物が落下してきてもカバー部９の端部の折り曲げ部９ａに当たり、ベース部８内への侵入を妨げることができる。なお電源切替開閉器は図２の右側を上側に向けて設置されるため、上側となる側の端部の折り曲げ部９ａの長さを、下側となる側（左側）よりも大きくしておくことが好ましい。
【符号の説明】
【００２１】
１ 機器本体
２ クロスバー
３ 接点
４ 可動コンタクト
５ 固定コンタクト
５ａ電源入力端子
６ 固定コンタクト
６ａ電源入力端子
７ 負荷端子
８  ベース部
９  カバー部
９ａ  折り曲げ部
１０  隙間
１１  突起
１３  機器本体
１４  カバー部
１５  開孔部
２１  駆動回転軸
２２  回転支持軸
【図１】
2016134361.tif 000003
【図２】
2016134361.tif 000004
【図３】
2016134361.tif 000005
【図４】
2016134361.tif 000006
【図５】
2016134361.tif 000007